(57)【要約】【課題】物品を収納するナップサックにおいて、特に全体として統一されたユニホームの意匠を備え同一性を喚起させることを課題とする。【解決手段】袋状に縫製された取り入れ口（２）を有する包装体（１）の表面表示部（６）に前襟を表す意匠の表示部（８）と名称を表す意匠の表示部（９）とマークを表す意匠の表示部（１０）を設け、前記包装体（１）の裏面表示部（７）に後襟を表す意匠の表示部（１１）と番号を表す意匠の表示部（１２）を設けたことを特徴とする。【選択図】図１
2007167603.tif 000002
【特許請求の範囲】
【請求項１】
物品を収納するナップサックにおいて、袋状に縫製された取り入れ口（２）を有する包装体（１）の表面表示部（６）に前襟を表す意匠の表示部（８）と名称を表す意匠の表示部（９）とマークを表す意匠の表示部（１０）を設けたことを特徴とするユニホーム意匠のナップサック。
【請求項２】
前記包装体（１）の裏面表示部（７）に後襟を表す意匠の表示部（１１）と番号を表す意匠の表示部（１２）を設けたことを特徴とする請求項１に記載のユニホーム意匠のナップサック。
【発明の詳細な説明】
【技術分野】
【０００１】  本発明は、物品を収納するナップサックに係るものであって、特に全体としてユニホームの意匠を備えたナップサックに関する。
【背景技術】
【０００２】  従来より、物品を収納する袋状のものを紐で背に負うものを「ショルダーバッグ（ＳＨＯＵＬＤＥＲＢＡＧ）」「バッグ（ＢＡＧ）」「リュックサック（ＲＵＣＫＳＡＣＫ）」「リュック（ＲＵＣＫ）」「ナップザック（ＫＮＡＰＳＡＣＫ）」「ナップサック（ＫＮＡＰＳＡＣＫ）」等と称されている。これ等袋状のものを紐で背に負うものは、概観の意匠に特徴のあるものや、機能的な収納方法等が提案され、特に概観の意匠ではさまざまな色彩や形状のものが提案されている。【０００３】  例えばリユックサックの交換可能な携帯品用紐部材として、光の反射による視覚効果を有する帯状の光反射フイルムとその光反射フイルムを被覆する被覆材によって個性的な見栄えを発揮する携帯品用紐部材が提案されている（特許文献１参照）。同様に袋部表面の表示部に蓄光材料を含む塗料が塗布されたリユックサック（特許文献２参照）や、主バッグと副バッグがそれぞれ外形相似の動物の顔を呈する意匠が構成されたバッグ組体（特許文献３参照）が提案されている。【０００４】  上述の提案では、個性的な見栄えを発揮するもの（特許文献１参照）や、暗い所でも表示部の表示内容を容易に確認できる視認性を提供するもの（特許文献２参照）、又は、斬新なデザインと収納が見栄えよく容易に行えるもの（特許文献３参照）である。【０００５】
【特許文献１】特開２００３−３１０３３２号公報
【特許文献２】実用新案登録第３０２２４０２号公報
【特許文献３】実用新案登録第３０２０２６８号公報
【発明の開示】
【発明が解決しようとする課題】
【０００６】  しかしながら、上述の提案では、物がそれ自身に対し同じであって，一個の物として存在する「ＩＤＥＮＴＩＴＹ」（以下、「同一性」と称する）を喚起するものではない。【０００７】  解決しようとする問題点は、物品を収納するナップサックにおいて、一個の物として存在する同一性が喚起されない点である。本発明は、このような問題点を解決するためになされたもので、特に全体として統一されたユニホームの意匠を備え同一性を喚起させることを課題とする。以下、その他の課題を含め、本発明を詳しく説明する。
【課題を解決するための手段】
【０００８】  本発明に係るユニホーム意匠のナップサックの特徴は、物品を収納するナップサックにおいて、袋状に縫製された取り入れ口（２）を有する包装体（１）の表面表示部（６）に前襟を表す意匠の表示部（８）と名称を表す意匠の表示部（９）とマークを表す意匠の表示部（１０）を設けたことを有している点である。【０００９】  また、本発明において、前記包装体（１）の裏面表示部（７）に後襟を表す意匠の表示部（１１）と番号を表す意匠の表示部（１２）を設けたことである。
【発明の効果】
【００１０】  本発明によれば、野球や蹴球の運動競技者の着用するユニホームの意匠と同じ意匠が施されたナップサックを所持するだけで、応援者や支援者の同一性を喚起させることを奏でる。或いは物品を収納する袋状のものを紐で背に負うナップサックとして、通常の収納袋の使用をすることができる作用効果が得られる。
【発明を実施するための最良の形態】
【００１１】  以下、本発明に係るユニホーム意匠のナップサックについて図面を用いて説明する。図１は、本発明の表面図である。図２は本発明の裏面図である。【００１２】  図１に示すように、布地の包装体（１）の上部に負い紐挿通口（３Ａ）（３Ｂ）を設け、負い紐（４Ａ）（４Ｂ）をそれぞれ挿通させ、同様に負い紐支持口（５Ａ）（５Ｂ）にも挿通させる。袋状に縫製された取り入れ口（２）を有する前記包装体（１）の表面表示部（６）に前襟を表す意匠の表示部（８）と名称を表す意匠の表示部（９）とマークを表す意匠の表示部（１０）をそれぞれ表示する構成である。【００１３】  本発明は以上のような構成でこれを表現するときは、野球や蹴球の運動競技者の着用するユニホームの意匠の色や図柄を意匠表現する。よって、布地の包装体（１）の表面表示部（６）にもユニホームの形状や色彩の意匠を表す。前記表面表示部（６）にユニホームの形状や色彩である前襟を表す意匠の表示部（８）を表す。前記表面表示部（６）にユニホームの形状や色彩である名称を表す意匠の表示部（９）を表す。前記表面表示部（６）にユニホームの形状や色彩であるマークを表す意匠の表示部（１０）を表す。【００１４】  図２示すように、布地の包装体（１）の上部に負い紐挿通口（３Ａ）（３Ｂ）を設け、負い紐（４Ａ）（４Ｂ）をそれぞれ挿通させ、同様に負い紐支持口（５Ａ）（５Ｂ）にも挿通させる。袋状に縫製された取り入れ口（２）を有する前記包装体（１）の裏面表示部（７）に後襟を表す意匠の表示部（１１）と番号を表す意匠の表示部（１２）をそれぞれ表示する構成である。【００１５】  本発明は以上のような構成でこれを表現するときは、野球や蹴球の運動競技者の着用するユニホームの意匠の色や図柄を意匠表現する。よって、布地の包装体（１）の裏面表示部（７）にもユニホームの形状や色彩の意匠を表す。前記裏面表示部（７）にユニホームの形状や色彩である後襟を表す意匠の表示部（１１）を表す。前記裏面表示部（７）にユニホームの形状や色彩である番号を表す意匠の表示部（１２）を表す。【００１６】本発明は以上のような構成でこれを使用するときは、布地の包装体（１）の上部の取り入れ口（２）より物品を収納し、左右の負い紐（４Ａ）（４Ｂ）で前記取り入れ口（２）を閉ざし肩に背負う。中の物品を取り出す時は、前記取り入れ口（２）を開き開口して取り出す。
【実施例】
【００１７】  以下、本発明に係るユニホーム意匠のナップサックの実施例について図面を用いて説明する。図１に示すように、野球や蹴球の運動競技者の着用するユニホームの意匠の色や図柄を意匠表現するため、表面表示部（６）にはベースとなる色彩や模様、形状を表す。前記表面表示部（６）に襟の意匠の形状や外側の形状である前襟を表す意匠の表示部（８）を表す。前記表面表示部（６）には、それぞれのチーム名や組織名のである名称を表す意匠の表示部（９）によって表す。前記表面表示部（６）には、同じくそれぞれのチームのキャラクターやシンボルマークの形状や色彩であるマークを表す意匠の表示部（１０）で表す。【００１８】  図２に示すように、野球や蹴球の運動競技者の着用するユニホームの意匠の色や図柄を意匠表現するため、裏面表示部（７）にもベースとなる色彩や模様、形状を表す。前記裏面表示部（７）に襟の意匠の形状や外側の形状である後襟を表す意匠の表示部（１１）で表す。前記裏面表示部（７）に任意の背番号やポジション番号である形状や色彩での番号を表す意匠の表示部（１２）によって表す。【００１９】  本発明に係る表面表示部（６）、前襟を表す意匠の表示部（８）、名称を表す意匠の表示部（９）、マークを表す意匠の表示部（１０）、裏面表示部（７）、後襟を表す意匠の表示部（１１）、番号を表す意匠の表示部（１２）の意匠表現は、印刷や転写印刷、シルクスクリーン印刷、貼り付け等による表示方法が可能である。
印刷は意匠を製版し生地に直接印刷するオフセット印刷や活版印刷による印刷方法である。転写印刷は意匠を印刷した転写シートを生地にあて熱転写や圧着により生地に転写する方法である。シルクスクリーン印刷は孔版印刷であって枠に張った絹・ナイロンなどを版材としインクを定着させる方法である。貼り付けは意匠の形状を切り抜いた布などを布地の上に縫いつけたり、貼りつけたりする方法である。【００２０】  本発明に係るナップサックは前述の物品を収納する袋状のものを紐で背に負うものであって、「ショルダーバッグ（ＳＨＯＵＬＤＥＲＢＡＧ）」「バッグ（ＢＡＧ）」「リュックサック（ＲＵＣＫＳＡＣＫ）」「リュック（ＲＵＣＫ）」「ナップザック（ＫＮＡＰＳＡＣＫ）」と類似であり同類に称されているため、上記の名称で表してもかまわない。【００２１】  尚、本実施の形態におけるユニホーム意匠のナップサックは布地によって構成されているが、これ以外の素材、例えば合成樹脂シートや布状の合成繊維を使用することができる。又、ナップサックの形状以外でも例えば片紐の巾着袋や書類ケースにユニホーム意匠を表現することも可能である。よって、本発明は上記実施例になんら限定されるものではなく、本発明の要旨を逸脱しない範囲で種々の態様で実施することができる。さらにユニホーム意匠においては、単化表現や強調表現によって、よりユニホーム意匠に近づく場合もありえるため、忠実にユニホーム意匠を表現する必要はない。
【図面の簡単な説明】
【００２２】
【図１】本発明の表面図である。
【図２】本発明の裏面図である。
【符号の説明】
【００２３】１  包装体
２  取入れ口
３Ａ  負い紐挿通口
３Ｂ  負い紐挿通口
４Ａ  負い紐
４Ｂ  負い紐
５Ａ  負い紐支持口
５Ｂ  負い紐支持口
６  表面表示部
７  裏面表示部
８  前襟を表す意匠の表示部
９  名称を表す意匠の表示部
１０  マークを表す意匠の表示部
１１  後襟を表す意匠の表示部
１２  番号を表す意匠の表示部
【図１】
2007167603.tif 000003
【図２】
2007167603.tif 000004